(57)【要約】【課題】小型化を図りつつ、製造コストを低減する。【解決手段】除湿対象の空気を除湿する除湿装置と、除湿対象の空気を冷却する冷却装置３とを備えて供給対象に除湿した空気を供給可能に構成された除湿システムであって、冷却装置３は、冷却器２５と、冷却器２５を収容可能に構成され、かつ供給対象から回収した空気を導入可能な導入口３３ａ、周囲の空気を導入可能な導入口３３ｂ、および冷却器２５によって冷却された空気を排出可能な排出口３４が形成されると共に、導入口３３ａから導入した空気を導入口３３ｂから導入した空気と混合させずに冷却器２５に案内する空間Ｓａ、および導入口３３ｂから導入した空気を導入口３３ａから導入した空気と混合させずに冷却器２５に案内する空間Ｓｂが形成されたケーシング３２とを備え、導入口３３ａ，３３ｂから導入した空気を冷却器２５によって冷却して排出口３４から除湿装置に排出可能に構成されている。【選択図】図３
2015039647.tif 000002
【特許請求の範囲】
【請求項１】
除湿対象の空気に含まれている水分を吸着する水分吸着部および当該水分吸着部を収容可能に構成された第１の容器体を有するデシカントローター型の除湿装置と、前記除湿対象の空気を冷却する冷却装置と、前記水分吸着部から水分を除去するための空気を加熱する加熱装置とを備え、前記除湿対象の空気を除湿して供給対象に供給可能に構成された除湿システムであって、
前記第１の容器体は、前記除湿対象の空気を導入可能な第１の導入口、前記水分吸着部によって除湿した空気を排出可能な第１の排出口、前記水分吸着部から水分を除去するための空気を導入可能な第２の導入口、および前記水分吸着部から除去した水分が含まれている空気を排出可能な第２の排出口が形成されると共に、前記第１の導入口が前記冷却装置に接続され、前記第１の排出口が前記供給対象に接続され、前記第２の導入口が前記加熱装置に接続され、かつ前記第２の排出口が大気開放され、
前記冷却装置は、冷凍サイクルの蒸発器で構成された冷却器と、当該冷却器を収容可能に構成され、かつ前記供給対象から回収した空気を導入可能な第３の導入口、周囲の空気を導入可能な第４の導入口、および前記冷却器によって冷却された空気を排出可能な第３の排出口が形成されると共に、当該第３の導入口から導入した空気を当該第４の導入口から導入した空気と混合させることなく当該冷却器に案内する第１の案内路、および当該第４の導入口から導入した空気を当該第３の導入口から導入した空気と混合させることなく当該冷却器に案内する第２の案内路が形成された第２の容器体とを備え、前記第３の導入口から導入した空気および前記第４の導入口から導入した空気を前記冷却器によってそれぞれ冷却して前記第３の排出口から前記除湿対象の空気として排出可能に構成されている除湿システム。
【請求項２】
前記第２の容器体には、前記冷却器による空気の冷却によって生じるドレン水の前記第３の排出口に向かう流動を阻止する邪魔板が配設されている請求項１記載の除湿システム。
【請求項３】
前記第２の容器体には、前記冷却器による空気の冷却によって生じるドレン水を排出可能なドレン排出口が、前記第１の案内路に形成されることなく前記第２の案内路における底部に形成されている請求項１または２記載の除湿システム。
【請求項４】
前記除湿対象の空気を前記除湿装置に送風する送風機が前記冷却装置の前記第２の容器体における前記第３の排出口と当該除湿装置の前記第１の容器体における前記第１の導入口との間に配設されている請求項１から３のいずれかに記載の除湿システム。
【請求項５】
前記加熱装置は、前記冷凍サイクルの凝縮器を備えて構成されている請求項１から４のいずれかに記載の除湿システム。
【発明の詳細な説明】
【技術分野】
【０００１】
本発明は、デシカントローター型の除湿装置を備えて構成された除湿システムに関するものである。
【背景技術】
【０００２】
例えば、下記の特許文献１には、デシカントローターを有する潜熱制御部において含有水分量を調整した空気（除湿、または加湿した空気）の温度を顕熱制御部において調整して供給対象の居室内に供給する構成の低温再生デシカント空調機（以下、単に「空調機」ともいう）が開示されている。この空調機では、潜熱制御部が冷温水コイルを備えており、冷房モードでの動作に際して、ケーシングに設けられている外気口から導入した外気（空気）を冷温水コイルによって冷却した後にデシカントローターを通過させる構成が採用されている。これにより、この空調機では、冷温水コイルによって含有水分の一部が除去された空気がデシカントローターに供給されるため、デシカントローターの除湿能力が不足する事態を招くことなく、居室内に供給する空気をデシカントローターにおいて十分に除湿することが可能となっている。
【０００３】
また、この空調機では、上記の潜熱制御部が温水コイルを備えており、冷房モードでの上記の動作に際してデシカントローターの除湿能力が不足しそうになったときに、居室から回収した空気を温水コイルによって加熱した後にデシカントローターを通過させることでデシカントローターを加熱再生し、これにより、デシカントローターの除湿能力を回復させる構成が採用されている。なお、この空調機では、デシカントローターの加熱再生に使用した空気を排気ファンによって排気口から外部に排気する構成が採用されている。したがって、この空調機では、少なくとも排気口から外部に排出した空気の分だけ、上記のように外気口から新たな空気が導入され、この空気が冷温水コイルにおける予備冷却（予備除湿）、デシカントローターにおける除湿、および顕熱制御部における温度調整を経て居室内に供給されることとなる。
【先行技術文献】
【特許文献】
【０００４】
【特許文献１】特開２０１１−２４２１１７号公報（第７−１２頁、第１−１２図）
【発明の概要】
【発明が解決しようとする課題】
【０００５】
ところが、従来の空調機には、以下の解決すべき問題点が存在する。すなわち、従来の空調機では、居室から回収した空気を温水コイルによって加熱してデシカントローターに供給することでデシカントローターの加熱再生に使用した後に、その空気を排気口から外部に排気する構成が採用されている。この場合、この種の空調機をある程度の時間に亘って冷房モードで継続運転したときには、居室内の空気が目標とする温度・湿度に近い状態（低温低湿の状態）となる。しかしながら、居室から回収した空気をデシカントローターの加熱再生に使用した後に排気口から外部に排気する構成の従来の空調機では、目標とする温度・湿度よりも高温高湿である外気（空気）を新たに導入して除湿および冷却する必要があるため、冷房（除湿）に要するエネルギー量（消費電力量）の低減が困難となっているという現状がある。
【０００６】
一方、出願人は、上記の空調機に存在する問題点を解決すべく、供給対象から回収した空気をデシカントローターによって除湿した後に温度調整して再び供給対象に供給する構成の除湿システムを開発した。具体的には、出願人が開発した除湿システムは、目標とする湿度範囲内の湿度を維持すべきドライルーム等の供給対象に対して湿度を調整した空気を供給するための循環型の除湿システムであって、デシカントローターを有する除湿装置と、除湿装置（デシカントローター）に供給する空気を予冷する冷却装置と、除湿装置によって除湿された空気のうちの供給対象に供給すべき空気を目標温度まで加熱する加熱装置と、除湿装置によって除湿された空気のうちのデシカントローターの加熱再生に使用する空気を目標温度まで加熱する加熱装置とを備えて構成されている（図示せず）。これにより、供給対象から回収した低温低湿の空気を排気せずに再利用する分だけ、ドライルーム内を目標とする湿度範囲内の湿度に維持するのに要するエネルギー量（消費電力量）を低減することが可能となった。
【０００７】
しかしながら、この種のシステムによって供給対象としてのドライルーム等に除湿した空気を供給する際には、ドライルーム内を与圧して外気の侵入を阻止する必要があるため、供給した空気の一部がドライルームにおいて外部に漏れ出すこととなる。このため、ドライルームから回収した空気に加えて、ドライルームにおいて漏れ出した空気の分だけ新たな空気（外気）を導入する必要が生じる。この場合、外部から導入した空気は、その湿度がある程度高いため、デシカントローターによる除湿に先立って、冷却装置を通過させて十分に予冷する（冷却除湿する）のが好ましい。一方、ドライルーム等から回収した空気は、前述したようにある程度低温低湿となっているため、デシカントローターに導入する以前に冷却したとしても、その湿度を大きく低下させるのが困難となっている。しかしながら、デシカントローターを使用した除湿においては、デシカントローターに導入する空気の温度を十分に低下させることで除湿効率を向上させることができることが知られている。このため、ドライルームから回収した空気についても、冷却装置を通過させて十分に冷却するのが好ましい。
【０００８】
したがって、出願人は、上記の除湿システムの開発に際して、外部から導入した空気を冷却する冷却装置を設けることで、導入した空気をデシカントローターに導入する以前に予冷してある程度除湿しつつ、その温度を低下させると共に、ドライルーム等から回収した空気を冷却する冷却装置を設けることで、回収した空気をデシカントローターに導入する以前に十分に温度を低下させる構成を採用した。これにより、ドライルーム等を供給対象とする使用形態（漏れ出した空気の分だけ外気を導入する使用形態）においても、目標とする湿度範囲内まで十分に除湿した空気を供給することが可能となった。しかしながら、出願人が開発した除湿システムでは、デシカントローターに導入する空気を冷却するための冷却装置を２台備えているため、システムの小型化、および製造コストの低減が困難となっており、この点を改善するのが好ましい。
【０００９】
本発明は、かかる改善すべき課題に鑑みてなされたものであり、小型化を図りつつ、製造コストを十分に低減し得る除湿システムを提供することを主目的とする。
【課題を解決するための手段】
【００１０】
上記目的を達成すべく請求項１記載の除湿システムは、除湿対象の空気に含まれている水分を吸着する水分吸着部および当該水分吸着部を収容可能に構成された第１の容器体を有するデシカントローター型の除湿装置と、前記除湿対象の空気を冷却する冷却装置と、前記水分吸着部から水分を除去するための空気を加熱する加熱装置とを備え、前記除湿対象の空気を除湿して供給対象に供給可能に構成された除湿システムであって、前記第１の容器体は、前記除湿対象の空気を導入可能な第１の導入口、前記水分吸着部によって除湿した空気を排出可能な第１の排出口、前記水分吸着部から水分を除去するための空気を導入可能な第２の導入口、および前記水分吸着部から除去した水分が含まれている空気を排出可能な第２の排出口が形成されると共に、前記第１の導入口が前記冷却装置に接続され、前記第１の排出口が前記供給対象に接続され、前記第２の導入口が前記加熱装置に接続され、かつ前記第２の排出口が大気開放され、前記冷却装置は、冷凍サイクルの蒸発器で構成された冷却器と、当該冷却器を収容可能に構成され、かつ前記供給対象から回収した空気を導入可能な第３の導入口、周囲の空気を導入可能な第４の導入口、および前記冷却器によって冷却された空気を排出可能な第３の排出口が形成されると共に、当該第３の導入口から導入した空気を当該第４の導入口から導入した空気と混合させることなく当該冷却器に案内する第１の案内路、および当該第４の導入口から導入した空気を当該第３の導入口から導入した空気と混合させることなく当該冷却器に案内する第２の案内路が形成された第２の容器体とを備え、前記第３の導入口から導入した空気および前記第４の導入口から導入した空気を前記冷却器によってそれぞれ冷却して前記第３の排出口から前記除湿対象の空気として排出可能に構成されている。
【００１１】
また、請求項２記載の除湿システムは、請求項１記載の除湿システムにおいて、前記第２の容器体には、前記冷却器による空気の冷却によって生じるドレン水の前記第３の排出口に向かう流動を阻止する邪魔板が配設されている。
【００１２】
さらに、請求項３記載の除湿システムは、請求項１または２記載の除湿システムにおいて、前記第２の容器体には、前記冷却器による空気の冷却によって生じるドレン水を排出可能なドレン排出口が、前記第１の案内路に形成されることなく前記第２の案内路における底部に形成されている。
【００１３】
また、請求項４記載の除湿システムは、請求項１から３のいずれかに記載の除湿システムにおいて、前記除湿対象の空気を前記除湿装置に送風する送風機が前記冷却装置の前記第２の容器体における前記第３の排出口と当該除湿装置の前記第１の容器体における前記第１の導入口との間に配設されている。
【００１４】
さらに、請求項５記載の除湿システムは、請求項１から４のいずれかに記載の除湿システムにおいて、前記加熱装置は、前記冷凍サイクルの凝縮器を備えて構成されている。
【発明の効果】
【００１５】
請求項１記載の除湿システムでは、供給対象から回収して第３の導入口から導入した空気を、第４の導入口から導入した周囲の空気と混合させることなく冷却器に案内する第１の案内路、および第４の導入口から導入した空気を第３の導入口から導入した空気と混合させることなく冷却器に案内する第２の案内路が第２の容器体内に形成されて冷却装置が構成されると共に、第３の導入口から導入した空気、および第４の導入口から導入した空気を冷却器によってそれぞれ冷却して第３の排出口から除湿対象の空気として排出可能に構成されている。
【００１６】
したがって、請求項１記載の除湿システムによれば、供給対象から回収した空気、および外部から新たに導入した空気を１台の冷却装置（冷却器）によってそれぞれ冷却することができるため、供給対象から回収した空気、および外部から新たに導入した空気を別個の冷却装置（冷却器）によってそれぞれ冷却する構成の除湿システムと比較して、小型化を図りつつ、その製造コストを十分に低減することができる。また、第４の導入口から新たに導入した空気が、冷却器による冷却に先立って、第３の導入口から導入した（供給対象から回収した）低湿度の空気によって希釈されることがないため、第４の導入口から新たに導入した空気に含まれている水分を冷却器によって十分に除去した状態で除湿装置に導入させることができる。これにより、除湿装置による除湿処理の負担が十分に軽減される結果、除湿システム全体としての除湿効率を好適な状態に維持することができ、供給対象に供給すべき空気を好適に除湿することができる。
【００１７】
また、請求項２記載の除湿システムによれば、冷却器による空気の冷却によって生じるドレン水の第３の排出口に向かう流動を阻止する邪魔板を第２の容器体に配設したことにより、冷却装置における冷却器による冷却によって除去した水分が、冷却後の空気と共に除湿装置に導入される事態を好適に回避することができるため、除湿装置（水分吸着部）の除湿能力を長時間に亘って好適な状態に維持することができる結果、供給対象に供給すべき空気を一層好適に除湿することができる。
【００１８】
さらに、請求項３記載の除湿システムによれば、冷却器による空気の冷却によって生じるドレン水を排出可能なドレン排出口を、第１の案内路に形成することなく第２の案内路における底部に形成したことにより、供給対象から回収された空気を冷却器に案内する第１の案内路に外気が吸引される事態をを招くことなく、第２の案内路によって冷却器に案内された空気の冷却によって生じたドレン水（結露水）を第２の案内路から好適に排出することができる。
【００１９】
また、請求項４記載の除湿システムによれば、除湿対象の空気を除湿装置に送風する送風機を冷却装置の第２の容器体における第３の排出口と除湿装置の第１の容器体における第１の導入口との間に配設したことにより、第３の導入口から冷却装置における第１の案内路内に空気を導入するための送風機、および第４の導入口から冷却装置における第２の案内路内に空気を導入するための送風機を別個に配設した構成とは異なり、１台の送風機によって第３の導入口および第４の導入口から冷却装置における第１の案内路および第２の案内路に空気を導入することができるため、除湿システムの製造コストを一層低減することができる。
【００２０】
さらに、請求項５記載の除湿システムによれば、冷凍サイクルの凝縮器を備えて加熱装置を構成したことにより、電気ヒーター等によって空気を加熱する構成とは異なり、冷却装置（冷却器）に供給する冷媒を凝縮させるための加熱器（凝縮器）の排熱を好適に利用して水分吸着部を加熱再生するための空気を十分に加熱することができるため、供給対象に供給する空気を除湿するのに要するエネルギー量（消費電力量）を十分に低下させて、そのランニングコストを十分に低減させることができる。
【図面の簡単な説明】
【００２１】
【図１】本発明の実施の形態に係る除湿システム１００の構成を示す構成図である。
【図２】本発明の実施の形態に係る除湿システム１００における除湿装置１の構成を示す斜視図である。
【図３】本発明の実施の形態に係る除湿システム１００における冷却装置３の構成を示す平面断面図である。
【図４】図３におけるＤ−Ｄ線断面図である。
【発明を実施するための形態】
【００２２】
以下、添付図面を参照して、除湿システムの実施の形態について説明する。
【００２３】
最初に、除湿システム１００の構成について、添付図面を参照して説明する。
【００２４】
図１に示す除湿システム１００は、「除湿システム」の一例であって、後述するように、湿度および温度を調整した空気をドライルーム等の供給対象Ｘに供給することができるように構成されている。具体的には、除湿システム１００は、除湿装置１、冷凍サイクル２、冷却装置３、加熱装置４ａ，４ｂおよび送風機５ａ，５ｂを備えて構成されている。
【００２５】
除湿装置１は、「デシカントローター型の除湿装置」の一例であって、図２に示すように、ローター１１およびケーシング１２と、ケーシング１２内においてローター１１を回転させるためのモーターおよびタイミングベルト等（図示せず）とを備えて構成されている。ローター１１は、「水分吸着部」としてのデシカントローターの一例であって、円柱状のハニカム構造体内にゼオライトやシリカゲル等の吸湿体が充填されて、矢印Ｂａ〜Ｂｃの向きで空気を通過させることができるように構成されている。なお、このローター１１（デシカントローター）の構造については公知のため、内部構造に関する図示および詳細な説明を省略する。
【００２６】
ケーシング１２は、「第１の容器体」の一例であって、円筒体に形成されて、矢印Ａの向きでの回転が可能にローター１１を収容する。このケーシング１２は、一例として、導入口１３ａ，１３ｂおよび排出口１４ｃが天板に形成され、かつ、導入口１３ｃおよび排出口１４ａ，１４ｂが底板に形成されている。この場合、導入口１３ａは、「第１の導入口」の一例であって、後述するように、除湿対象の空気をケーシング１２内に導入するための配管Ｐ１ｂ（図１参照）を接続可能に構成されている。また、導入口１３ｂは、後述するように、ローター１１を冷却するための空気をケーシング１２内に導入するための配管Ｐ１ｃ（図１参照）を接続可能に構成されている。さらに、導入口１３ｃは、「第２の導入口」の一例であって、後述するように、ローター１１から水分を除去するための空気（加熱再生用の空気）を導入するための配管Ｐ４ｂ（図１参照）を接続可能に構成されている。
【００２７】
また、排出口１４ａは、「第１の排出口」の一例であって、後述するように、導入口１３ａからケーシング１２内に導入されてローター１１によって除湿された空気をケーシング１２の外部に排出するための配管Ｐ２ａ（図１参照）を接続可能に構成されている。さらに、排出口１４ｂは、後述するように、導入口１３ｂからケーシング１２内に導入されてローター１１を冷却することで温度上昇させられた空気をケーシング１２の外部に排出するための配管Ｐ４ａ（図１参照）を接続可能に構成されている。また、排出口１４ｃは、「第２の排出口」の一例であって、後述するように導入口１３ｃからケーシング１２内に導入されてローター１１を加熱再生した空気（ローター１１から除去した水分が含まれた空気）を排出するための配管Ｐ５ａ（図１参照）を接続可能に構成されている。
【００２８】
さらに、図２に示すように、本例の除湿装置１では、ローター１１の上端面とケーシング１２の天板内面との間に仕切板１５ａ〜１５ｃが配設されて導入口１３ａ，１３ｂおよび排出口１４ｃがケーシング１２内において相互に連通した状態となるのが阻止されている。これにより、本例の除湿装置１では、後述するように、導入口１３ａからケーシング１２内に導入された空気が矢印Ｂａで示すようにローター１１を通過させられて排出口１４ａからケーシング１２外に排出され、かつ導入口１３ｂからケーシング１２内に導入された空気が矢印Ｂｂで示すようにローター１１を通過させられて排出口１４ｂからケーシング１２外に排出されると共に、導入口１３ｃからケーシング１２内に導入された空気が矢印Ｂｃで示すようにローター１１を通過させられて排出口１４ｃからケーシング１２外に排出される。
【００２９】
この場合、図１に示すように、本例の除湿装置１では、導入口１３ａが、配管Ｐ１ｂ、送風機５ａおよび配管Ｐ１ａを介して冷却装置３に接続され、かつ導入口１３ｂが、配管Ｐ１ｃ、送風機５ａおよび配管Ｐ１ａを介して冷却装置３に接続されると共に、導入口１３ｃが、配管Ｐ４ｂを介して加熱装置４ｂに接続されている。また、本例の除湿装置１では、排出口１４ａが、配管Ｐ２ａ、加熱装置４ａおよび配管Ｐ２ｂを介して供給対象Ｘに接続され、かつ排出口１４ｂが、配管Ｐ４ａを介して加熱装置４ｂに接続されると共に、排出口１４ｃが、配管Ｐ５ａ、送風機５ｂおよび配管Ｐ５ｂを介して大気開放されている。なお、本例の構成に代えて、送風機５ｂの排出口に配管Ｐ５ｂを接続せずに、送風機５ｂの排出口を直接大気開放する構成（配管Ｐ５ａおよび送風機５ｂを介して排出口１４ｃを大気開放する構成）を採用することもできる。
【００３０】
冷凍サイクル２は、圧縮機２１、調整弁２２ａ，２２ｂ、加熱器（凝縮器）２３ａ，２３ｂ、膨張弁２４ａ，２４ｂおよび冷却器（蒸発器）２５を備え、これらが冷媒配管によって相互に接続されると共に、圧縮機２１および調整弁２２ａ，２２ｂの動作を制御する図示しないコントローラ（制御部）を備えて構成されている。この場合、調整弁２２ａは、圧縮機２１によって圧縮された冷媒のうちの加熱器２３ａ（加熱装置４ａ）に導入させる冷媒の流量を調整し、調整弁２２ｂは、圧縮機２１によって圧縮された冷媒のうちの加熱器２３ｂ（加熱装置４ｂ）に導入させる冷媒の流量を調整する。
【００３１】
また、膨張弁２４ａ，２４ｂは、一例として、キャピラリーチューブで構成されおり、膨張弁２４ａが加熱器２３ａと冷却器２５との間に配設されると共に、膨張弁２４ｂが加熱器２３ｂと冷却器２５との間に配設されている。なお、キャピラリーチューブで構成された膨張弁２４ａ，２４ｂに代えて、「電子膨張弁」で構成された「膨張弁」を採用して「冷凍サイクル」を構成することもできる。また、実際の冷凍サイクル２には、必要に応じて、圧縮機２１から排出された高温の冷媒の一部を圧縮機２１における冷媒吸入口の上流に流入させるためのホットバイパス路や、圧力計、アキュムレータおよびストレーナなどが配設されているが、冷凍サイクル２の構成に関する理解を容易とするために、これらについての図示および説明を省略する。
【００３２】
冷却装置３は、「冷却装置」の一例であって、図３，４に示すように、上記の冷凍サイクル２における冷却器２５（「冷却器」の一例）と、冷却器２５を収容可能なケーシング３２（「第２の容器体」の一例）とを備えて構成されている。この場合、冷却器２５は、複数のフィン２５ａとチューブ（冷媒配管）２５ｂとを備えたフィン＆チューブ型の熱交換器で構成されている。また、本例の冷却装置３では、後述するように供給対象Ｘから配管Ｐ３（図１，３参照）を介して回収した空気を導入可能な導入口３３ａ（「第３の導入口」の一例：図３参照）、周囲の空気（外気）を導入可能な導入口３３ｂ（「第４の導入口」の一例：図３，４参照）、および冷却器２５によって冷却された空気を配管Ｐ１ａに排出可能な排出口３４（「第３の排出口」の一例：図３，４参照）がケーシング３２に形成されている。
【００３３】
また、図３に示すように、この冷却装置３では、導入口３３ａから導入した空気と、導入口３３ｂから導入した空気とを混合させることなく冷却器２５に案内して冷却させるための仕切り板３５がケーシング３２の内壁面と冷却器２５のフィン２５ａとの間に設けられ、仕切り板３５の先端部と冷却器２５との間にシーリング材３５ａが配設されてシーリングされている。これにより、本例の除湿装置１では、導入口３３ａから導入した空気（供給対象Ｘから回収した空気）を冷却器２５に案内する「第１の案内路」を構成する空間Ｓａと、導入口３３ｂから導入した空気（周囲の空気：外気）を冷却器２５に案内する「第２の案内路」を構成する空間Ｓｂとがケーシング３２の内壁面と冷却器２５との間に別個独立して形成され、空間Ｓａ内の空気と空間Ｓｂ内の空気とが冷却器２５に到達する以前に混合される事態が阻止されている。
【００３４】
さらに、本例の冷却装置３では、導入口３３ａから空間Ｓａに導入されて冷却器２５を通過させられることで冷却された空気と、導入口３３ｂから空間Ｓｂに導入されて冷却器２５を通過させられることで冷却された空気とが、ケーシング３２内の冷却器２５における空間Ｓａ，Ｓｂとは反対側の空間Ｓｃ内で混合された状態で排出口３４から配管Ｐ１ａに排出される構成が採用されている。
【００３５】
この場合、後述するように、導入口３３ｂから空間Ｓｂ内に導入される空気がある程度の水分を含んでいるため、この空気が冷却器２５によって冷却されたときには、結露が生じてドレン水（結露水）が発生する。したがって、本例の除湿装置１では、図３，４に示すように、冷却器２５において生じたドレン水をケーシング３２の外部に排出するためのドレン排出口３６（「ドレン排出口」の一例）が空間Ｓｃに設けられると共に、図４に示すように、ドレン排出口３６から排出されたドレン水を受け止めるドレンパン３６ａがドレン排出口３６の下方に設置されている。なお、後述するように、供給対象Ｘから回収した空気（導入口３３ａから導入される空気）には、その露点温度が０℃以下程度の少量の水分しか含まれておらず、この空気が冷却器２５において冷却された際にドレン水が殆ど生じないため、本例の冷却装置３では、空間Ｓａにはドレン排出口が形成されていない。
【００３６】
また、図３，４に示すように、本例の除湿装置１では、冷却器２５において生じたドレン水が空気の流れに沿って空間Ｓｃ内に流出して排出口３４から配管Ｐ１ａに排出されるのを阻止するための邪魔板３７（「邪魔板」の一例）がケーシング３２の底部に形成されている。さらに、この冷却装置３では、導入口３３ｂから外気と共に塵埃が空間Ｓｂ内に侵入するのを阻止するための防塵フィルタ３８が導入口３３ｂに取り付けられている。
【００３７】
加熱装置４ａは、冷凍サイクル２における加熱器２３ａと、加熱器２３ａを収容可能なケーシング（図示せず）とを備え、除湿装置１による除湿を完了した空気を供給対象Ｘに供給するのに先立って目標温度まで加熱する（温度上昇させる）。加熱装置４ｂは、「加熱装置」の一例であって、冷凍サイクル２における加熱器２３ｂと、加熱器２３ｂを収容可能なケーシング（図示せず）とを備え、除湿装置１のローター１１から水分を除去するための空気を加熱する（温度上昇させる）。
【００３８】
送風機５ａは、「送風機」の一例であって、冷却装置３のケーシング３２における排出口３４と除湿装置１のケーシング１２における導入口１３ａ，１３ｂとの間に配設されて、冷却装置３によって冷却された空気（除湿対象の空気）を除湿装置１に送風する。送風機５ｂは、配管Ｐ５ａを介して除湿装置１の排出口１４ｃに接続され、後述するように、ローター１１を加熱再生させる（ローター１１から水分を除去させる）ことで水分を含んだ空気を排出口１４ｃから吸引して配管Ｐ５ａに排出させて配管Ｐ５ｂを介して大気に開放する。
【００３９】
次に、除湿システム１００による空気の除湿処理について、添付図面を参照して説明する。
【００４０】
この除湿システム１００によって除湿した空気を供給対象Ｘに供給する際には、まず、冷凍サイクル２の動作を開始させる。この際には、圧縮機２１によって圧縮された高温高圧の冷媒が調整弁２２ａ，２２ｂを通過して加熱装置４ａ，４ｂの加熱器２３ａ，２３ｂに導入される結果、加熱装置４ａ，４ｂ内において両ケーシング内の空気と加熱器２３ａ，２３ｂ内の冷媒との間で熱交換が行われて両ケーシング内の空気が加熱されると共に加熱器２３ａ，２３ｂ内の冷媒が凝縮させられる。
【００４１】
また、加熱器２３ａ，２３ｂにおいて凝縮させられた冷媒は、膨張弁２４ａ，２４ｂを通過させられた後に冷却器２５内に噴出させられる。これにより、冷却装置３のケーシング３２内の空気と冷却器２５内の冷媒との間で熱交換が行われてケーシング３２内の空気が冷却されると共に冷却器２５内の冷媒が温度上昇させられて気化させられる。さらに、冷却器２５内において気化させられた冷媒は、圧縮機２１に吸引されて圧縮され、調整弁２２ａ，２２ｂを介して再び加熱器２３ａ，２３ｂに導入される。
【００４２】
また、冷凍サイクル２の動作開始と同時に（または、冷凍サイクル２の動作開始から規定時間が経過した際に）、除湿装置１のケーシング１２内におけるローター１１の回転、および送風機５ａ，５ｂの動作を開始させる。この際には、送風機５ａによる送風処理により、冷却装置３における空間Ｓｃ内の空気が、図３，４に矢印Ｃｃで示すように排出口３４から配管Ｐ１ａ内に吸引され、配管Ｐ１ｂを介して除湿装置１の導入口１３ａからケーシング１２内に導入されると共に、配管Ｐ１ｃを介して除湿装置１の導入口１３ｂからケーシング１２内に導入される。
【００４３】
また、配管Ｐ１ｂを介して導入口１３ａからケーシング１２内に導入された空気は、矢印Ｂａで示すようにローター１１内を通過させられる際に、ローター１１の吸湿剤によって水分を吸着されて除湿され、排出口１４ａから配管Ｐ２ａを介して加熱装置４ａに送気される。さらに、加熱装置４ａに送気された空気は、上記したように、加熱装置４ａ内において加熱器２３ａ内の冷媒と熱交換させられることで加熱され、目標温度範囲内の温度に温調された状態で配管Ｐ２ｂを介して供給対象Ｘに供給される。
【００４４】
この際に、調整弁２２ａは、加熱装置４ａによる加熱処理後の空気の温度が目標温度範囲よりも低いときには、加熱器２３ａに導入させる冷媒の量を増加させ、加熱装置４ａによる加熱処理後の空気の温度が目標温度範囲よりも高いときには、加熱器２３ａに導入させる冷媒の量を減少させ、かつ加熱装置４ａによる加熱処理後の空気の温度が目標温度範囲内の温度のときには、加熱器２３ａに導入させる冷媒の量を一定に維持する。これにより、除湿装置１において目標とする湿度範囲内の湿度となるように除湿され、かつ加熱装置４ａにおいて目標温度範囲内の温度に温調された空気が供給対象Ｘに供給される。
【００４５】
また、配管Ｐ１ｃを介して導入口１３ｂからケーシング１２内に導入された空気は、図２に矢印Ｂｂで示すようにローター１１内を通過させられる際に、後述するように高温低湿の空気が通過させられることで温度上昇させられたローター１１（吸着剤）との間で熱交換させられることでローター１１を冷却し、排出口１４ｂから配管Ｐ４ａを介して加熱装置４ｂに送気される。これにより、加熱再生時に温度上昇させられた状態のローター１１に対して導入口１３ａから導入した空気（除湿対象の空気）を直ちに通過させる（高温のローター１１に除湿対象の空気を通過させる）のと比較して、十分に温度低下した状態のローター１１に対して導入口１３ａから導入した空気（除湿対象の空気）を通過させることができるため、ローター１１によって空気中の水分を好適に除去することができる。
【００４６】
さらに、ローター１１を冷却した後に加熱装置４ｂに送気された空気は、上記したように、加熱装置４ｂ内において加熱器２３ｂ内の冷媒と熱交換させられることで加熱され、ローター１１の加熱再生に適した目標温度範囲内の温度に温度上昇させられる。また、加熱装置４ｂにおいて加熱された高温低湿の空気は、配管Ｐ４ｂを介して導入口１３ｃからケーシング１２内に導入される。この空気は、矢印Ｂｃで示すようにローター１１内を通過させられる際に、導入口１３ａから導入された空気中の水分を吸着させられたローター１１を加熱することでローター１１から水分を揮発させ、これにより、ローター１１（吸着材）を再生する。
【００４７】
この際に、調整弁２２ｂは、加熱装置４ｂによる加熱処理後の空気の温度が目標温度範囲よりも低いときには、加熱器２３ｂに導入させる冷媒の量を増加させ、加熱装置４ｂによる加熱処理後の空気の温度が目標温度範囲よりも高いときには、加熱器２３ｂに導入させる冷媒の量を減少させ、かつ加熱装置４ｂによる加熱処理後の空気の温度が目標温度範囲内の温度のときには、加熱器２３ｂに導入させる冷媒の量を一定に維持する。これにより、ローター１１の吸湿能力を、好適な除湿が可能な状態に維持することができる。さらに、ローター１１から揮発させた水分を含有する空気は、送風機５ｂによって排出口１４ｃから配管Ｐ５ａ内に吸引され、配管Ｐ５ｂを介して大気に排出される（大気開放される）。
【００４８】
この場合、この種のシステムによって空気を供給する供給対象Ｘ（ドライルーム）では、前述したように、外気の侵入を阻止するために与圧する必要がある。したがって、この除湿システム１００においても、配管Ｐ２ｂを介して供給した空気の一部が供給対象Ｘにおいて外部に漏出させられる。しかしながら、この除湿システム１００では、出願人が開発した従来の除湿システムと同様にして、供給対象Ｘに供給した空気の大半を回収して再利用することで、供給対象Ｘ内を目標の湿度範囲内の除湿に維持するのに要するエネルギー量（消費電力量）を低減することに成功している。
【００４９】
具体的には、この除湿システム１００では、図１に示すように、供給対象Ｘに供給した空気のうちの上記の漏出分を除く空気を回収するための配管Ｐ３が冷却装置３に接続されている。したがって、上記したように送風機５ａによって空間Ｓｃ内の空気を吸引することで、供給対象Ｘから回収した空気が、配管Ｐ３を介して導入口３３ａから図３に矢印Ｃａで示すようにケーシング３２の空間Ｓａ内に導入されて冷却器２５に案内される。この際に、導入口３３ａから導入された空気は、供給対象Ｘ内において加湿されていない限り、大量の水分を含有しない状態で冷却器２５に案内される。
【００５０】
したがって、導入口３３ａから導入された空気は、露点温度が０℃程度の低湿状態となっており、冷却器２５による冷却によってその水分含有量を殆ど変化させられることなく十分に冷却されて、排出口３４から配管Ｐ１ａ、送風機５ａおよび配管Ｐ１ｂ，Ｐ１ｃを介して除湿装置１に送気されることとなる。これにより、過剰に温度が高い状態で「除湿対象の空気」が配管Ｐ１ｂを介して除湿装置１（ローター１１）に供給される事態を回避することができ、また、上記した加熱再生によって温度上昇したローター１１を十分に冷却した状態で「除湿対象の空気」に含まれる水分を吸着させることができるため、「除湿対象の空気」を除湿装置１（ローター１１）によって好適に除湿処理することができる。
【００５１】
一方、この除湿システム１００では、与圧のために供給対象Ｘにおいて漏出させた空気の量、および除湿装置１（ローター１１）の加熱再生に使用して大気開放した空気の量だけ、外部から新たに空気を導入する必要がある。具体的には、上記したように送風機５ａによって空間Ｓｃ内の空気を吸引した際に、新たに導入すべき空気が導入口３３ｂから図３，４に矢印Ｃｂで示すようにケーシング３２の空間Ｓｂ内に導入されて冷却器２５に案内される。
【００５２】
この場合、導入口３３ｂから導入された空気（外気）は、ある程度の水分を含有した状態で導入されて冷却器２５に案内される。したがって、導入口３３ｂから導入された空気は、冷却器２５による冷却によって含有水分の一部が結露させられて除湿され、その後に、導入口３３ａからケーシング３２内に導入されて（供給対象Ｘから回収されて）冷却器２５において冷却された空気と空間Ｓｃ内において混合されて、排出口３４から配管Ｐ１ａ、送風機５ａおよび配管Ｐ１ｂ，Ｐ１ｃを介して除湿装置１に送気されることとなる。
【００５３】
この際に、冷却器２５における冷却によって含有水分の一部が結露させられることで生じたドレン水（結露水）は、冷却器２５のフィン２５ａを伝ってケーシング３２の底部に流れ落ちる。この場合、本例の冷却装置３では、前述したように、空気の流れに乗ってドレン水が空間Ｓｃ内に流出して排出口３４から排出されるのを阻止するための邪魔板３７がケーシング３２の底部に配設されている。したがって、ケーシング３２の底部に流れ落ちたドレン水は、空間Ｓｂに設けられているドレン排出口３６からケーシング３２の外部に排出されてドレンパン３６ａ内に滴り落ちる。
【００５４】
この場合、本例の冷却装置３とは異なり、例えば、供給対象Ｘから回収した空気、および外部から新たに導入した空気を冷却器２５によって冷却する以前に混合させたときには、前述したように、ある程度の水分を含有している空気（新たに導入した空気）が、露点温度が低い低湿の空気（供給対象Ｘから回収した空気）によって希釈される分だけ、新たに導入した空気に含まれている水分の冷却器２５における除湿効率が低下することとなる。したがって、除湿装置１（ローター１１）による除湿処理の負担が増大する結果、除湿システム１００全体としての除湿効率が低下するおそれがある。
【００５５】
これに対して、ケーシング３２における内壁面と冷却器２５との間に仕切り板３５およびシーリング材３５ａを配設することで、供給対象Ｘから回収した空気（導入口３３ａから空間Ｓａ内に導入した空気）を、外部から新たに導入した空気（導入口３３ｂから空間Ｓｂ内に導入した空気）と混合させることなく冷却器２５に案内し、かつ、外部から新たに導入した空気（導入口３３ｂから空間Ｓｂ内に導入した空気）を、供給対象Ｘから回収した空気（導入口３３ａから空間Ｓａ内に導入した空気）と混合させることなく冷却器２５に案内する構成を採用した本例の冷却装置３では、導入口３３ｂから導入したある程度の水分を含有している空気が、導入口３３ａから導入した露点温度が低い低湿の空気によって希釈されることがないため、新たに導入した空気に含まれている水分を冷却器２５において好適に除湿することが可能となっている。
【００５６】
このように、この除湿システム１００では、供給対象Ｘから回収して導入口３３ａから導入した空気を導入口３３ｂから導入した周囲の空気と混合させることなく冷却器２５に案内する空間Ｓａ、および導入口３３ｂから導入した空気を導入口３３ａから導入した空気と混合させることなく冷却器２５に案内する空間Ｓｂがケーシング３２内に形成されて冷却装置３が構成されると共に、導入口３３ａ，３３ｂから導入した空気を冷却器２５によってそれぞれ冷却して排出口３４から「除湿対象の空気」として排出可能に構成されている。
【００５７】
したがって、この除湿システム１００によれば、供給対象Ｘから回収した空気、および外部から新たに導入した空気を１台の冷却装置３（冷却器２５）によってそれぞれ冷却することができるため、供給対象Ｘから回収した空気、および外部から新たに導入した空気を別個の「冷却装置（冷却器）」によってそれぞれ冷却する構成の「除湿システム」と比較して、小型化を図りつつ、その製造コストを十分に低減することができる。また、導入口３３ｂから新たに導入した空気が、冷却器２５による冷却に先立って、導入口３３ａから導入した（供給対象Ｘから回収した）低湿度の空気によって希釈されることがないため、導入口３３ｂから新たに導入した空気に含まれている水分を冷却器２５によって十分に除去した状態で除湿装置１に導入させることができる。これにより、除湿装置１による除湿処理の負担が十分に軽減される結果、除湿システム１００全体としての除湿効率を好適な状態に維持することができ、供給対象Ｘに供給すべき空気を好適に除湿することができる。
【００５８】
また、この除湿システム１００によれば、冷却器２５による空気の冷却によって生じるドレン水の排出口３４に向かう流動を阻止する邪魔板３７をケーシング３２に配設したことにより、冷却装置３における冷却器２５による冷却によって除去した水分が、冷却後の空気と共に除湿装置１に導入される事態を好適に回避することができるため、除湿装置１（ローター１１）の除湿能力を長時間に亘って好適な状態に維持することができる結果、供給対象Ｘに供給すべき空気を一層好適に除湿することができる。
【００５９】
さらに、この除湿システム１００によれば、冷却器２５による空気の冷却によって生じるドレン水を排出可能なドレン排出口３６を、空間Ｓａに形成することなく空間Ｓｂにおける底部に形成したことにより、供給対象Ｘから回収された空気を冷却器２５に案内する空間Ｓａに外気が吸引される事態をを招くことなく、空間Ｓｂによって冷却器２５に案内された空気の冷却によって生じたドレン水（結露水）を空間Ｓｂから好適に排出することができる。
【００６０】
また、この除湿システム１００によれば、「除湿対象の空気」を除湿装置１に送風する送風機５ａを冷却装置３のケーシング３２における排出口３４と除湿装置のケーシング１２における導入口１３ａとの間に配設したことにより、導入口３３ａから冷却装置３における空間Ｓａ内に空気を導入するための「送風機」、および導入口３３ｂから冷却装置３における空間Ｓｂ内に空気を導入するための「送風機」を別個に配設した構成とは異なり、１台の送風機５ａによって導入口３３ａ，３３ｂから冷却装置３における空間Ｓａ，Ｓｂ内に空気を導入することができるため、除湿システム１００の製造コストを一層低減することができる。
【００６１】
さらに、この除湿システム１００によれば、冷凍サイクル２の加熱器（凝縮器）２３ｂを備えて「加熱装置」としての加熱装置４ｂを構成したことにより、電気ヒーター等によって空気を加熱する構成とは異なり、冷却装置３（冷却器２５）に供給する冷媒を凝縮させるための加熱器２３ｂの排熱を好適に利用してローター１１を加熱再生するための空気を十分に加熱することができるため、供給対象Ｘに供給する空気を除湿するのに要するエネルギー量（消費電力量）を十分に低下させて、そのランニングコストを十分に低減させることができる。
【００６２】
なお、「除湿システム」の構成は、上記の除湿システム１００の構成に限定されない。例えば、除湿装置１による除湿を完了した空気を供給対象Ｘに供給するのに先立って加熱装置４ａによって加熱する（温度調整する）構成を例に挙げて説明したが、供給対象Ｘに供給する空気の温度を調整する必要がないときには、この加熱装置４ａが存在しない構成を採用することもできる（図示せず）。また、供給対象Ｘに供給する空気を加熱するための加熱装置４ａや、除湿装置１のローター１１を加熱再生するための空気を加熱するための加熱装置４ｂに関して、冷凍サイクル２の加熱器（凝縮器）２３ａ，２３ｂによって空気を加熱する構成を例に挙げて説明したが、このような構成に代えて、電気ヒーター等の各種の加熱装置によって空気を加熱する構成を採用することもできる（図示せず）。
【００６３】
さらに、加熱装置４ｂによって加熱した空気の供給による加熱再生によって温度上昇したローター１１を、「除湿対象の空気」の除湿に先立ち、導入口１３ｂから導入した低温の空気で温度低下させる構成の除湿装置１を備えた例について説明したが、「除湿装置」の構成はこれに限定されず、除湿装置１における導入口１３ｂおよび排出口１４ｂを備えていない構成（「除湿対象の空気」の除湿に先立ってローター１１を冷却しない構成：図示せず）を採用することもできる。
【００６４】
また、送風機５ａ，５ｂの２台を備えた構成を例に挙げて説明したが、送風機５ｂを配設せずに、供給対象Ｘへの空気の供給および回収や、導入口３３ｂからの外気の導入および排出口１４ｃからの空気の排出を送風機５ａだけで行う構成（図示せず）を採用することもできる。このような構成を採用した場合には、「第２の排出口」としての排出口１４ｃを、直接、または、配管Ｐ５ａを介して大気開放することにより、ローター１１の加熱再生に使用した空気をケーシング１２の外部に排出することができる。さらに、冷却装置３の導入口３３ａ，３３ｂにそれぞれ１台の「送風機」を配設することにより、導入口３３ａから空間Ｓａへの空気の導入、および導入口３３ｂから空間Ｓｂへの空気の導入を行う構成（図示せず）を採用することもできる。
【００６５】
また、供給対象Ｘから回収した空気を冷却器２５に案内する空間Ｓａに「ドレン排出口」を設けない構成の冷却装置３を例に挙げて説明したが、供給対象Ｘから回収した空気の露点温度が高い場合（供給対象Ｘから回収した空気に含まれている水分量が多い場合）には、空間Ｓｂのドレン排出口３６と同様にして、「ドレン排出口」を空間Ｓａに設けることもできる。さらに、冷却装置３内における空気の流動速度が十分に低いときや、排出口３４をケーシング３２の上方部位に設けたとき、すなわち、冷却器２５による冷却によって生じたドレン水が空気の流れに乗って排出口３４から排出されるおそれがないときには、邪魔板３７を不要とすることもできる（図示せず）。
【符号の説明】
【００６６】
１００  除湿システム
１  除湿装置
２  冷凍サイクル
３  冷却装置
４ａ，４ｂ  加熱装置
５ａ，５ｂ  送風機
１１  ローター
１２，３２  ケーシング
１３ａ〜１３ｃ，３３ａ，３３ｂ  導入口
１４ａ〜１４ｃ，３４  排出口
２１  圧縮機
２２ａ，２２ｂ  調整弁
２３ａ，２３ｂ  加熱器
２４ａ，２４ｂ  膨張弁
２５  冷却器
２５ａ  フィン
２５ｂ  チューブ
３５  仕切り板
３５ａ  シーリング材
３６  ドレン排出口
３７  邪魔板
Ｐ１ａ〜Ｐ１ｃ，Ｐ２ａ，Ｐ２ｂ，Ｐ３，Ｐ４ａ，Ｐ４ｂ，Ｐ５ａ，Ｐ５ｂ  配管
Ｓａ〜Ｓｃ  空間
Ｘ  供給対象
【図１】
2015039647.tif 000003
【図２】
2015039647.tif 000004
【図３】
2015039647.tif 000005
【図４】
2015039647.tif 000006